(57)【要約】【課題】地盤の一部が崩れた場合でも、杭の移動を抑制し、住宅が傾くことを抑制する。【解決手段】住宅の基礎構造１０は、地盤１１に打ち込まれた複数の杭１２と、杭１２に連結されて、杭１２の上端部を囲繞する環状の枠１３と、複数の枠１３を連結する連結部材１６と、複数の杭１２の上端に支持された基礎１７と、を有する。枠１３は、枠１３に螺合されて枠１３から突出する複数のボルト１４，１５が、杭１２と当接することによって、杭１２に連結されている。連結部材１６は、相互に隣り合う杭１２を枠１３、ボルト１４を介して連結する。【選択図】図２
2019132109.tif 000002
【特許請求の範囲】
【請求項１】
地盤に打ち込まれた複数の杭と、
上記杭に連結されて、上記杭の上端部を囲繞する環状の枠と、
複数の上記枠を連結する連結部材と、
上記複数の杭の上端に支持された基礎と、を有する住宅の基礎構造。
【請求項２】
上記枠は、
上記枠に螺合されて上記枠から突出する複数のボルトが、上記杭と当接することによって、上記杭に連結されている請求項１に記載の住宅の基礎構造。
【請求項３】
上記連結部材は、上記ボルトに連結されている請求項２に記載の住宅の基礎構造。
【請求項４】
相互に隣り合う３本の上記杭にそれぞれ連結された上記枠が、上記連結部材によって相互に連結された請求項１から３のいずれかに記載の住宅の基礎構造。
【請求項５】
上記連結部材は、長手方向の長さが変更可能な棒材である請求項１から４のいずれかに記載の住宅の基礎構造。
【請求項６】
上記杭は、上端部の外周面から突出する凸部を有しており、
上記枠は、多角形の環である請求項１から５のいずれかに記載の住宅の基礎構造。
【請求項７】
地盤に杭を打ち込む第１工程と、
杭の上端部に枠を連結する第２工程と、
枠を連結部材で連結する第３工程と、
杭上に基礎を打設する第４工程と、を含む住宅の基礎構造の施工方法。
【発明の詳細な説明】
【技術分野】
【０００１】
本発明は、住宅の基礎構造、及び当該基礎の施工方法に関する。
【背景技術】
【０００２】
建物は、地盤に構築された基礎に支持されている。軟弱な地盤では、建物及び基礎の重量あるいは地震によって、基礎の一部或いは全部が沈下することがある。このように、建物を建築した後に基礎が沈下することは、不同沈下と呼ばれている。従来より、軟弱な地盤などにおいて、不同沈下を防止するために、地盤に杭を打設し、杭に基礎を支持させる構造が知られている。
【０００３】
特許文献１には、基礎に嵌入された杭の頭部近傍に、エネルギー吸収ブレースが配置された構造が開示されている。
【先行技術文献】
【特許文献】
【０００４】
【特許文献１】特開平１１−１１７２９６号公報
【発明の概要】
【発明が解決しようとする課題】
【０００５】
住宅の基礎を支持するために地盤に打設された杭は、杭の頭部が基礎と連結されていない。地震などによって地盤に揺れや移動が生じると、杭の頭部が移動して、基礎の直下から外れることが有り得る。その結果、杭によって基礎が支持されなくなり、基礎が沈下したり傾いたりするおそれがある。
【０００６】
本発明は、前述された事情に鑑みてなされたものであり、その目的は、地盤に揺れや移動が生じても、基礎を支持する杭が、基礎の直下から外れることを抑制できる手段を提供することにある。
【課題を解決するための手段】
【０００７】
(1)  本発明に係る住宅の基礎構造は、地盤に打ち込まれた複数の杭と、上記杭に連結されて、上記杭の上端部を囲繞する環状の枠と、複数の上記枠を連結する連結部材と、上記複数の杭の上端に支持された基礎と、を有する。
【０００８】
枠を介して杭同士が連結されているので、地盤に揺れや移動が生じても、杭間の距離が変化せず、杭が基礎の直下から外れることが抑制できる。
【０００９】
(2)  上記枠は、上記枠に螺合されて上記枠から突出する複数のボルトが、上記杭と当接することによって、上記杭に連結されているものであってもよい。
【００１０】
外径が異なる杭に対して、共通の大きさの枠を使用することができる。
【００１１】
(3)  上記連結部材は、上記ボルトに連結されていてもよい。
【００１２】
枠に連結部材を容易に連結できる。
【００１３】
(4)  相互に隣り合う３本の上記杭にそれぞれ連結された上記枠が、上記連結部材によって相互に連結されてもよい。
【００１４】
杭間の距離の変化が効果的に抑制される。
【００１５】
(5)  上記連結部材は、長手方向の長さが変更可能な棒材であってもよい。
【００１６】
種々の杭間の距離に連結部材が対応できる。
【００１７】
(6)  上記杭は、上端部の外周面から突出する凸部を有しており、上記枠は、多角形の環であってもよい。
【００１８】
施工時に、凸部を介して杭に回転トルクを伝達できる。多角形の枠の隅部に凸部を対応させて配置することによって、枠の外形を小さくできる。
【００１９】
(7)  本発明の施工方法は、地盤に杭を打ち込む第１工程と、杭の上端部に枠を連結する第２工程と、枠を連結部材で連結する第３工程と、杭上に基礎を打設する第４工程と、を含む。
【００２０】
地盤に杭を打ち込んだ後、杭上に基礎を打設する前に杭の上端部を連結することによって、簡易に本発明を施工することができる。
【発明の効果】
【００２１】
本発明によれば、地盤に揺れや移動が生じても、基礎を支持する杭が、基礎の直下から外れることが抑制できる。
【図面の簡単な説明】
【００２２】
【図１】図１は、杭１２と連結部材１６が連結する態様を示す斜視図である。
【図２】図２は、相互に隣り合う杭１２が連結される態様を示す斜視図である。
【図３】図３（Ａ）は、本実施形態に係る住宅の基礎構造１０の基礎１７の下を模式的に示す平面図であり、図３（Ｂ）は、住宅の基礎構造１０を模式的に示す断面図である。
【図４】図４は、杭１２を示す斜視図である。
【図５】図５（Ａ）は、枠１３を示す平面図であり、図５（Ｂ）は、図５（Ａ）におけるＶＢ−ＶＢ断面図である。
【図６】図６（Ａ）は、ボルト１４の平面図であり、図６（Ｂ）は、図６（Ａ）のＶＩＢ−ＶＩＢ断面図であり、図６（Ｃ）は、ボルト１４の側面図である。
【図７】図７は、枠１３、ボルト１４及びボルト１５の分解斜視図である。
【図８】図８は、ボルト１４と連結部材１６の分解斜視図である。
【図９】図９（Ａ）は、溝５８を模式的に示す斜視図であり、図９（Ｂ）は、図９（Ａ）のＩＸＢ−ＩＸＢ断面図である。
【図１０】図１０は、第５工程５５において溝５８を土５９で埋め戻した態様を示す模式図である。
【図１１】図１１は、実施形態に係る施工方法５０の説明図である。
【図１２】図１２（Ａ）は、実施形態に係る杭１２に枠１３が固定された態様を示す平面図であり、図１２（Ｂ），（Ｃ）は、変形例に係る杭１２に枠１３が固定された態様を示す平面図である。
【図１３】図１３（Ａ）は、杭１２に枠６１が固定された態様を示す平面図であり、図１３（Ｂ）は、図１３（Ａ）の正面図である。
【発明を実施するための形態】
【００２３】
以下、本発明の実施形態について説明する。なお、以下に説明される実施形態は本発明の一例にすぎず、本発明の要旨を変更しない範囲で、本発明の実施形態を適宜変更できることは言うまでもない。
【００２４】
本実施形態の住宅の基礎構造１０が図１から図３に示される。住宅の基礎構造１０は、複数の杭１２と、枠１３と、ボルト１４，１５と、連結部材１６と、基礎１７と、を有する。なお、図１では、基礎１７が省略され、連結部材１６の長さ方向の中間一部が切り欠かれている。また、破線は、地盤１１内の杭１２を表すものであり、長さ方向の中間一部が切り欠かれている。また、地盤１１は、溝状に掘削されており、その溝の底が描かれている。また、図２では、基礎１７が省略され、杭１２の長さ方向の中間から下端までが省略されている。また、図３（Ａ）では、地盤１１及び基礎１７が省略されている。
【００２５】
住宅の基礎構造１０において、上下方向７、前後方向８、及び左右方向９は、以下のように規定されている。杭１２の長さ方向（図３（Ｂ）における上下方向）が上下方向７であり、水平面内で上下方向７に直交する方向（図３（Ｂ）における紙面の左右方向）が前後方向８である。左右方向９は、上下方向７と前後方向８のいずれにも直交する方向（図３（Ｂ）における紙面と垂直な方向）である。
【００２６】
杭１２は、例えば鋼管杭である。なお、杭１２は、コンクリートや木、鋼管等からなる既製杭又は場所打ち杭であってもよい。鋼管杭は、地上に設置した重機により回転されながら地盤１１の支持層（例えば地山２１）まで圧入される。鋼管杭は、無排土且つ低振動で地盤１１に埋設することができる。また、鋼管杭は、埋設後は杭先部材の鉛直方向の投影面積分だけ支持力が増加するという利点がある。鋼管杭は、工場等で予め所定の長さに作製されたものが施工現場に搬入して打設される。支持層までの深度が深い場合には、杭本体が施工現場で溶接等して継ぎ足されながら、地盤に打ち込まれる。
【００２７】
図３（Ａ）に示されるように、例えば、住宅の基礎の形状に合わせて、複数の杭１２が前後方向８及び左右方向９に配列されて地盤に打設される。本実施形態では、合計２２本の杭１２が地盤に打設されている。杭１２の本数や間隔は、基礎１７の種類や形状、支持荷重などに合せて適宜調整される。
【００２８】
杭１２は、図４に示されるように、２つの杭本体２６（２６Ａ，２６Ｂ）と、杭先部材２７と、４つの凸部２８（２８Ａ，２８Ｂ，２８Ｃ，２８Ｄ）とを有する。杭本体２６Ａ、２６Ｂは、いずれも円筒形状である。杭本体２６Ａ，２６Ｂは、同軸線上に配置されて、端部において継合されている。杭本体２６Ａの先端（下端）付近には、杭先部材２７が取り付けられる。
【００２９】
なお、杭本体２６は、１本でもよいし、支持層の深さに合せて３本以上が継合されてもよい。また、杭１２は、杭先部材２７を有さず、杭本体２６の先端の周面に螺旋翼が設けられてもよい。また、凸部２８は、無くてもよく、有する場合でもその数は、４つに限られない。
【００３０】
凸部２８Ａ，２８Ｂは、図４に示されるように、杭本体２６Ａの外周面３９から径方向外側へ突出している。杭本体２６Ａは、上下方向７に細長な平板である。各凸部２８Ａ，２８Ｂは、杭本体２６Ａの上端部に杭本体２６Ａを軸として線対称となるように配置されて、杭本体２６Ａと溶接等によって連結されている。凸部２８Ｃ，２８Ｄは、凸部２８Ａ，２８Ｂと同様に、杭本体２６Ｂに連結されている。なお、各凸部２８は、杭本体の上端部以外の外周面又は内面に設けられてもよく、杭本体を軸とした線対称の位置でなくともよい。また、各凸部２８の形は、平板に限られない。
【００３１】
杭先部材２７は、筒部２７Ａと螺旋翼２７Ｂとからなる。筒部２７Ａは、杭本体２６Ａと同じ径の円筒形状である。螺旋翼２７Ｂは、筒部２７Ａの外周面において、円環形状の平板の一部が径方向に沿って切り込まれ、その切り込み端が上下方向７に離間して、螺旋状に形成されている。なお、杭先部材２７は、螺旋翼２７Ｂの他に螺旋翼を有するものであってもよく、一般に鋼管杭の杭先に用いられるものであってもよい。
【００３２】
地盤１１は、固い層である地山２１と、柔らかい層である盛土２２とを有する。図３（Ｂ）に示されるように、地山２１は、傾斜面２１Ａを有しており、傾斜面２１Ａの下側に上下方向に沿って延びる石垣２３が設けられる。盛土２２は、地山２１と石垣２３との隙間に石垣２３の上端２３Ａと同じ高さまで埋設される。なお、地盤１１は、地盤の一例であり、本構造が採用される地盤には、谷底平野等の自然に形成された軟弱地盤や盛土等の人為的に形成された軟弱地盤がある。また、石垣２３の高さや前後方向８に沿った厚さは適宜調整され、石垣２３が設けられなくともよい。
【００３３】
枠１３は、図１、図５及び図７に示されるように、例えば鉄、ステンレス、アルミニウムなどの金属が環状に形成されてなる。本実施形態においては、枠１３は、略Ｌ字形状の２つの枠片１３Ａ，１３Ｂが合わされて、平面視が略四角形となっている。枠片１３Ａ，１３Ｂは、鋼材から形成されている。なお、枠１３は、平面視が四角形に限定されず、円やその他の多角形であってもよい。
【００３４】
枠１３の周壁３２は、前面部３２Ａ，左側面部３２Ｂ，背面部３２Ｃ，及び右側面部３２Ｄからなる。前面部３２Ａと左側面部３２Ｂは、連続しており、略Ｌ字形状の鋼材である枠片１３Ａを構成する。同様に、背面部３２Ｃと右側面部３２Ｄは、連続しており、枠片１３Ｂを構成する。枠片１３Ａ，１３Ｂは、前面部３２Ａの端部と右側面部３２Ｄの端部、そして左側面部３２Ｂの端部と背面部３２Ｃの端部が溶接されることにより一体となる。
【００３５】
なお、枠１３の上下方向７の長さは、凸部２８の上下方向に沿った長さや杭１２に連結される位置に応じて適宜変更される。また、枠１３の材質は金属に限定されるものではなく、枠１３は、例えば木製であってもよい。枠１３は、後述のように、土で埋められるため、防食のために表面がメッキされることが好ましい。
【００３６】
前面部３２Ａは、前後方向８に沿って延びるネジ穴３３Ａを上下方向７及び左右方向９の中央に有する。背面部３２Ｃは、前後方向８に沿って延びるネジ穴３３Ｃを上下方向７及び左右方向９の中央に有する。左側面部３２Ｂは、左右方向９に沿って延びるネジ穴３３Ｂを上下方向７及び前後方向８の中央に有する。右側面部３２Ｄは、左右方向９に沿って延びるネジ穴３３Ｄを上下方向７及び前後方向８の中央に有する。
【００３７】
各ネジ穴３３Ａ，３３Ｂ，３３Ｃ，３３Ｄは、ボルト１４又はボルト１５が螺合可能である。なお、各部におけるネジ穴３３Ａ，３３Ｂ，３３Ｃ，３３Ｄの位置は、特に限定されるものではないが、ネジ穴３３Ａ，３３Ｂ，３３Ｃ，３３Ｄは、枠１３の内側に配置された杭１２に、その先端が当接するボルト１４及び１５の位置を決めるものなので、図１、図５及び図７に示されるように、各部の中央に配置されることが好ましい。また、枠１３に設けられるネジ穴の数は、４つに限定されるものではなく、４つ未満であっても５つ以上であってもよい。なお、ネジ穴３３Ａ，３３Ｂ，３３Ｃ，３３Ｄは、ネジ穴でなく単なる貫通孔であってもよい。貫通孔である場合には、各部を挟み込むようにナットが配置されることによって、ボルト１４，１５が各部に対して固定される。
【００３８】
ボルト１４は、図１，図６及び図７に示されるように、頭部が平板３５である。平板３５の中央には、厚み方向に貫通する貫通孔３７が形成されている。ネジ部３６は、平板３５と溶接によって連結されており、平板３５の長手方向の短手端の中央から長手方向に沿って突出してる。なお、ボルト１４は、本発明の一例であり、ネジ部３６の代わりにネジが切られていない棒であってもよい。また、ボルト１４は、平板３５を有さなくともよい。
【００３９】
ボルト１５は、図１，図７に示されるように、六角ボルトである。なお、ボルト１５は、本発明の一例であり、六角ボルトに限られない。
【００４０】
連結部材１６は、例えば、建築用ターンバックルである。連結部材１６は、図１，図８に示されるように、両端部に雌ネジ４１Ａ，４１Ｂを有する胴４１と、各々この胴４１の雌ネジ４１Ａ，４１Ｂに螺合する雄ネジ４２Ａ，４３Ａの端部に羽子板４２Ｂ，４３Ｂが接続された羽子板ボルト４２，４３とを有する。羽子板４２Ｂ，４３Ｂには、貫通孔４２Ｃ，４３Ｃがそれぞれ設けられる。雌ネジ４１Ａと４１Ｂは互いに逆向きにネジが切られており（従って、雄ネジ４２Ａ，４３Ａも同様）、胴４１を羽子板ボルト４２，４３に対して回転されることにより、両端の羽子板４２Ｂ，４３Ｂ間の距離を調整できるようになっている。なお、連結部材１６は、本発明の一例であり、建築用ターンバックルに限られない。
【００４１】
基礎１７は、図３（Ｂ）に示されるように、ベタ基礎である。なお、基礎１７は、ベタ基礎に限られず、布基礎やその他の種類の基礎であってもよい。
【００４２】
複数の杭１２は、図１から図３に示されるように、地盤１１に打ち込まれている。杭１２は、それぞれ螺旋翼２７Ｂが地山２１に埋まる深さまで打ち込まれている。なお、杭１２の螺旋翼２７Ｂの位置は、地山２１などの支持層の位置に合わせて適宜変更される。
【００４３】
、杭１２の上端は、図３（Ｂ）に示されるように、それぞれ地盤１１に埋まっている。したがって、凸部２８は、地盤１１に埋まっている。
【００４４】
枠１３は、図１及び図２に示されるように、杭１２の上端部が枠１３の開口３１の前後方向８及び左右方向９の中央に位置するように杭１２を囲繞する。杭１２は、前述の状態で枠１３のネジ穴３３と螺合するボルト１４及び１５の先端が杭１２の外周面に当接することによって枠１３に対する位置が固定される。
【００４５】
なお、図１では、ボルト１４は、ネジ穴３３Ｂ及び３３Ｄと螺合し、ボルト１５は、ネジ穴３３Ａ及び３３Ｃと螺合するが、ボルト１４及び１５とネジ穴３３（３３Ａ，３３Ｂ，３３Ｃ，３３Ｄ）の組み合わせはこれに限られない。また、ネジ穴３３（３３Ａ，３３Ｂ，３３Ｃ，３３Ｄ）のいずれかは、ボルト１４及び１５のいずれもが組み合されなくともよい。また、ボルト１４及び１５の数は、２本ずつに限られず、ボルト１４のみが使用されてもよい。また、ボルト１４又は１５は、杭１２と枠１３の間のナットによって締められてもよい。また、杭１２は、図１２に示されるように、枠１３の開口３１の中央になくともより。開口３１内の杭１２の位置は、杭１２の太さに応じて適宜調整される。
【００４６】
杭１２の凸部２８は、図１に示されるように、左側面部３２Ｂと背面部３２Ｃとで形成される枠１３の隅、及び前面部３２Ａと左側面部３２Ｂとで形成される枠１３の隅と杭１２との間に生ずる隙間３４（３４Ａ，３４Ｂ）に位置する。なお、凸部２８の位置は、本発明の一例であり、前面部３２Ａと左側面部３２Ｂとで形成される枠１３の隅、及び背面部３２Ｃと右側面部３２Ｄとで形成される枠１３の隅と杭１２との間に生ずる隙間であってもよく、その他の場所であってもよい。
【００４７】
連結部材１６は、相互に隣り合う杭１２を枠１３、ボルト１４を介して連結する。詳細には、羽子板ボルト４２の貫通孔４２Ｃがボルト１４の貫通孔３７に重ね合わされ、羽子板ボルト４２と平板３５がボルト４４及びナット４５で締め付けれることによりボルト１４と連結する。なお、羽子板ボルト４２と平板３５との連結態様は、ボルト４４及びナット４５を用いるものに限定されない。
【００４８】
連結部材１６は、貫通孔４３Ｃが羽子板ボルト４２側の杭１２と隣り合う杭１２のボルト１４の貫通孔３７に重ね合わされ、羽子板ボルト４３と平板３５がボルト４４及びナット４５で締め付けれることによりボルト１４と連結する。なお、羽子板ボルト４３と平板３５との連結態様は、ボルト４４及びナット４５を用いるものに限定されない。
【００４９】
なお、連結部材１６による杭１２同士の連結は、必ずしも全ての杭１２に対して行われる必要はない。また、図２に示されるように、相互に隣り合う３本の杭１２が相互に連結されてもよい。また、隣り合う杭１２において、各上端の上下方向７の位置が異なる場合には、連結部材１６が上下方向７に沿って斜めに配置されることによって、上端の位置が異なる杭１２同士が連結されてもよい。
【００５０】
基礎１７は、図３（Ｂ）に示されるように、杭１２の上に設けられて杭１２に支持される。基礎１７の底面が、杭１２の上面に当接することによって、基礎１７が杭１２に支持される。杭１２の上端は、基礎１７に嵌入されていない。なお、基礎１７の一部は、杭１２に支持されなくともよい。
【００５１】
[施工方法５０] 
次に、図１１を参照して、図１から図３（Ａ），（Ｂ）に示される住宅の基礎構造１０の施工方法５０を説明する。施工方法５０は、第１工程５１から第６工程５６までを有する。
【００５２】
第１工程５１は、複数の杭１２を地盤１１に打ち込む工程である。
【００５３】
杭１２は、図３（Ａ）に示されるように、基礎１７の形状などに合わせて配置されている。杭１２は、地面において、それぞれの位置に位置決めされた後、重機２９（不図示）により地盤１１に回転圧入される。詳細には、杭本体２６Ａ（図４参照）は、杭先部材２７が取り付けられた後、杭本体２６Ａの上端部分、及び凸部２８Ａ，２８Ｂが重機２９に取り付けられることにより、すなわちチャックされる。そして、重機２９によって杭本体２６Ａが回転されつつ、鉛直下方へ押し込まれることによって、杭１２が盛土２２に貫入される。
【００５４】
杭本体２６Ａが、その上端付近が地面に近づくまで盛土２２に貫入されると、杭本体２６Ａの上端に杭本体２６Ｂ（図４参照）が接続される。杭本体２６Ｂは、杭本体２６Ａに接続された状態で、杭本体２６Ａと同様にして、重機２９により地盤に貫入される。杭先部材２７が地山２１に到達すると、杭本体２６Ｂの貫入が終了する。杭本体２６Ｂにおいて、地面より上方へ突出している部分は、必要に応じて切断されて除去される。
【００５５】
第２工程５２は、隣り合う杭１２の間の地盤１１に溝５８を設ける工程である。溝５８は、図９及び図１０に示されるように、杭１２に枠１３が固定される位置よりも深い位置まで盛土２２が掘削されることにより形成される。また、杭１２の先端周囲の土も、溝５８と同じ深さまで除去される。
【００５６】
第３工程５３は、杭１２の上端部に枠１３を連結する工程である。枠１３は、図１及び図７に示されるように、２本のボルト１４がネジ穴３３Ｂ，３３Ｄに、かつ２本のボルト１５がネジ穴３３Ａ，３３Ｃに外側から螺合され、貫通したボルト１４の先端面１４Ａとボルト１５の先端面１５Ａがそれぞれ杭１２の外周面３９に当接することにより、杭１２の上端部に固定される。
【００５７】
第４工程５４は、ボルト１４に連結部材１６を取り付ける工程である。連結部材１６は、溝５８に位置されて、図１，図８に示されるように、貫通孔４２Ｃ，４３Ｃがそれぞれボルト１４の貫通孔３７に重ね合わされ、羽子板ボルト４２と平板３５及び羽子板ボルト４３と平板３５がそれぞれボルト４４及びナット４５で締め付けれることによりボルト１５と連結する。
【００５８】
第５工程５５は、杭１２の上端面１２Ａと同じ高さまで溝５８を土５９で埋め戻す工程である。図１０に示されるように、上端面１２Ａの高さはグラウンドレベル６０より低い。また、杭１２の上端の周囲の土も埋め戻される。
【００５９】
第６工程５６は、杭１２の上に基礎１７を打設する工程である。図３（Ｂ）に示されるように、ベタ基礎が打設される。
【００６０】
[実施形態の作用効果] 
本実施形態では、複数の杭１２が枠１３及びボルト１４を介して連結部材１６により連結されいるので、杭１２間の距離が変動しない。このため、地盤１１の一部が崩れた場合でも、崩れた地盤１１から露出された杭１２が、周囲の杭１２によって支えられ、地盤１１から露出された杭１２の移動が抑制される。その結果、基礎１７が傾いたり、沈下したりすることが抑制できる。
【００６１】
また、相互に隣り合う３本の杭１２が連結部材１６によって相互に連結されると、各杭１２において、水平力への耐性が一層高くなる。
【００６２】
また、連結部材１６の長さが調節可能なので、間隔が一定でない杭１２同士を、連結部材１６の長さを調整して連結できる。
【００６３】
また、杭１２の上端部に凸部２８Ｃ，２８Ｄが設けられていても、凸部２８Ｃ，２８Ｄが枠１３の対角線上に配置されることによって、枠１３の外形を凸部２８Ｃ，２８Ｄに併せて大きくすることなく、つまり、枠１３の前面部３２Ａ、背面部３２Ｃ、左側面部３２Ｂ、右側面部３２Ｄ間の距離を長くすることなく、枠１３の内側に凸部２８Ｃ，２８Ｄを納めることができる。
【００６４】
また、地盤１１に杭１２を打ち込んだ後、杭１２上に基礎１７を打設する前に、杭１２の上端部を連結できることため、施工が容易である。
【００６５】
[変形例] 
杭１２は、太さが異なっていてもよい。その際、枠１３内の杭１２の位置は、図１２に示されるように調整され、また、それに合せてボルト１４又はボルト１５が１本省略されてもよい。なお、上述の実施形態では、図１２（Ａ）に示されるように、杭１２の直径は、１３９．８ｍｍであるが、図１２（Ｂ）及び（Ｃ）に示される杭１２の直径は、それぞれ１１４．３ｍｍ及び１０１．６ｍｍであり、いずれも住宅用の鋼管杭によくみられるものである。
【００６６】
また、杭１２は、地山２１の深さに合せて杭本体２６Ｂが継合されなくてもよく、さらに円筒状の杭本体が同軸線上に継合されてもよい。また、杭本体は途中で切断されてもよい。その場合、凸部は、杭１２の上端部にはないこととなる。
【００６７】
上述の本実施形態では、平面視四角形の枠１３が用いられたが、これとは異なる平面視の枠が採用されてもよい。例えば、図１３に示されるように、平面視が円形の枠６１が用いられてもよい。詳細ニアｈ、枠６１は、枠片６１Ａ，６１Ｂからなり、枠片６１Ａ，６１Ｂは、それぞれ連結部６２Ａ，６２Ｂ，６２Ｃ，６２Ｄ及び平板状の突起６３Ａ，６３Ｂ，６３Ｃ，６３Ｄを有する。連結部６２Ａ，６２Ｂ，６２Ｃ，６２Ｄは、それぞれ貫通孔６４Ａ，６４Ｂ，６４Ｃ，６４Ｄを有し、ボルト６５Ａが貫通孔６４Ａ，６４Ｃを、ボルト６５Ｂが貫通孔６４Ｂ，６４Ｄを貫通し、それぞれナット６６Ａ，６６Ｂで締められることで、枠片６１Ａと枠片６１Ｂは連結される。その際、杭１２は、枠片６１Ａと枠片６１Ｂの間に凸部２８Ｃ，２８Ｄを有していてもよい。また、突起６３Ａ，６３Ｂ，６３Ｃ，６３Ｄは、それぞれ貫通孔６７Ａ，６７Ｂ，６７Ｃ，６７Ｄを有しており、枠６１は、必要に応じて連結部材１６と連結される。
【符号の説明】
【００６８】
１０・・・住宅の基礎構造
１１・・・地盤
１２・・・杭
１３・・・枠
１４・・・ボルト
１５・・・ボルト
１６・・・連結部材
１７・・・基礎
２８・・・凸部
３９・・・外周面
５０・・・施工方法
５１・・・第１工程
５２・・・第２工程
５３・・・第３工程
５４・・・第４工程
５５・・・第５工程
５６・・・第６工程
【図１】
2019132109.tif 000003
【図２】
2019132109.tif 000004
【図３】
2019132109.tif 000005
【図４】
2019132109.tif 000006
【図５】
2019132109.tif 000007
【図６】
2019132109.tif 000008
【図７】
2019132109.tif 000009
【図８】
2019132109.tif 000010
【図９】
2019132109.tif 000011
【図１０】
2019132109.tif 000012
【図１１】
2019132109.tif 000013
【図１２】
2019132109.tif 000014
【図１３】
2019132109.tif 000015
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
地盤に打ち込まれた複数の杭と、
上記杭に連結されて、上記杭の上端部を囲繞する環状の枠と、
複数の上記枠を連結する連結部材と、
上記複数の杭の上端に支持された基礎と、を有する住宅の基礎構造であって、
上記枠は、
上記枠に螺合されて上記枠から突出する複数のボルトが、上記杭と当接することによって、上記杭に連結され、
上記連結部材は、上記ボルトに連結されている住宅の基礎構造。
【請求項２】
相互に隣り合う３本の上記杭にそれぞれ連結された上記枠が、上記連結部材によって相互に連結された請求項１に記載の住宅の基礎構造。
【請求項３】
上記連結部材は、長手方向の長さが変更可能な棒材である請求項１又は２に記載の住宅の基礎構造。
【請求項４】
上記杭は、上端部の外周面から突出する凸部を有しており、
上記枠は、多角形の環である請求項１から３のいずれかに記載の住宅の基礎構造。